(57)【要約】      【課題】少ない光源で広い範囲に光を拡散させ製造コストやランニングコストを低く抑え薄型の電飾装置とする。      【解決手段】電飾装置１０は、ケース１１と、ケース１１の内部奥側の壁に形成される貫通孔に固定されるＬＥＤ取付基部１２、ＬＥＤ取付基部１２に取り付けられ光源となるＬＥＤ１３、ＬＥＤ１３の背後近傍から前方に向かって上下左右に拡がるよう湾曲形ないし多面形であるケース１１に取り付けられるリフレクタ１４、リフレクタ１４よりも面積が小さく設定されていてＬＥＤ１３及びリフレクタ１４の前方に配置され光を拡散しケース１１の前面に着脱可能に取り付けられるカバーとしての拡散レンズ１５と、ＬＥＤ１３と拡散レンズ１５との間に配置され、ＬＥＤ１３からの光を反射してリフレクタ１４側に向かわせる補助リフレクタ１６と、補助リフレクタ１６から延び出し両端部がリフレクタ１４の内面に固定される一対のブリッジ１７と、を備える。【選択図】図３
2005046508.tif 000002
【特許請求の範囲】
【請求項１】
光を照射する光源と、
該光源からの光を前方に反射するリフレクタと、
該光源及びリフレクタの前方に配置され光を拡散する拡散レンズと、を備え、前記光源からの光を前記リフレクタで反射して前記拡散レンズ側に向かわせる、遊技機の前面部に設けられる遊技機の電飾装置において、
前記リフレクタよりも面積が小さく設定され、前記光源と前記拡散レンズとの間に配置され、前記光源からの光を反射して前記リフレクタ側に向かわせる補助リフレクタと、
を備えることを特徴とする弾球遊技機の電飾装置。
【請求項２】
前記補助リフレクタは、光源の発光面に対して湾曲ないし屈曲する凹み又は凸部を形成した板状部材と、該板状部材とケース部材の内壁又は前記リフレクタと接続するブリッジと、からなることを特徴とする請求項１の弾球遊技機の電飾装置。
【請求項３】
光を照射する光源と、
該光源からの光を前方に反射するリフレクタと、
該光源及びリフレクタの前方に配置され光を拡散する拡散レンズと、を備えて、遊技機の前面部に設けられる遊技機の電飾装置において、
前記リフレクタよりも面積が小さく設定され、前記光源と前記拡散レンズとの間に配置され、前記光源からの光を拡散して前記拡散レンズ側に向かわせる補助拡散レンズと、
を備えることを特徴とする弾球遊技機の電飾装置。
【請求項４】
前記補助拡散レンズは、前記光源からの光を前記拡散レンズに向かって分光するプリズムであることを特徴とする請求項３の弾球遊技機の電飾装置。
【請求項５】
前記補助拡散レンズは、前記光源からの光を前記拡散レンズに向かって拡散するインナーレンズであることを特徴とする請求項３の弾球遊技機の電飾装置。
【発明の詳細な説明】
【技術分野】
【０００１】
本発明は、弾球遊技機前面ないし遊技盤に取り付け、内部に備えた光源を点灯や点滅させて電飾効果を高める弾球遊技機の電飾装置に関する。
【背景技術】
【０００２】
従来からパチンコ機等の弾球遊技機は、特許文献１〜２に記載の通り、遊技盤の前面側に電飾装置を備え、パチンコ球の動きや入賞状態に応じて電飾装置が点滅することで、遊技者の射幸性を高めるようになっている。この電飾装置は、ケースの内部に多数、所定間隔又は適宜間隔で設けられるＬＥＤ等の光源、必要により設けられ光源の周辺に設けられたリフレクタ（反射板）、電飾装置の前面に取り付けられているレンズカバーとから構成されている。
【０００３】
従来の電飾装置では、広い面積を照射するためには、図７に示したように、弾球遊技機の厚み制限及びＬＥＤの指向性を考慮し、ケース５１１の内部に５ｍｍ〜１０ｍｍの間隔Ｔで多数のＬＥＤ５１３を並べて配置し、ＬＥＤ５１３からレンズカバー５１５に照射される照明の効果を確保するようにしている。
【０００４】
【特許文献１】特開１９９５−３２８１８１
【特許文献２】特開１９９９−１５６００１
【０００５】
しかしながら、ＬＥＤ５１３の指向性からレンズカバー５１５までに光が拡散するには、ＬＥＤ５１３からレンズカバー５１５まで、ある程度の光路長が必要なことから、電飾装置の厚みが増加し、厚みの制限された設置スペースでの設置が困難である。また、光源として多数のＬＥＤ５１３を配置しても、ＬＥＤ５１３同士の照射範囲が重なる付近での拡散性に限界があった。さらに、広い照射面積を確保するためには、必然的に狭い間隔で多数のＬＥＤ５１３を設置せざるを得ず、ＬＥＤ５１３と配線基盤等のＬＥＤ関係の部品点数が多くなり、電飾装置の構造が複雑になって製造コストが高くなるばかりでなく、多数のＬＥＤ５１３に電源を供給しなければならず、ランニングコストも高くなるという問題があった。
【発明の開示】
【発明が解決しようとする課題】
【０００６】
そこで本発明は、前述した問題点を鑑み提案されたもので、光路長を長くして、少ない光源で広い範囲に光が拡散するようにするとともに、製造コストやランニングコストを低く抑えることができ、薄型の電飾装置を実現する弾球遊技機の電飾装置を提供することである。
【課題を解決するための手段】
【０００７】
即ち、請求項１に記載の発明は、光を照射する光源と、該光源からの光を前方に反射するリフレクタと、該光源及びリフレクタの前方に配置され光を拡散する拡散レンズと、を備え、前記光源からの光を前記リフレクタで反射して前記拡散レンズ側に向かわせる、遊技機の前面部に設けられる遊技機の電飾装置において、前記リフレクタよりも面積が小さく設定され、前記光源と前記拡散レンズとの間に配置され、前記光源からの光を反射して前記リフレクタ側に向かわせる補助リフレクタと、を備えることを特徴とする弾球遊技機の電飾装置である。
拡散レンズ、リフレクタ、補助リフレクタの面形状は、多面形状、湾曲面形状等を備えたものが挙げられる。補助リフレクタは凹みがあることが好ましい。
補助リフレクタは、正面視で前記光源を覆う程度の大きさが好ましいが、限定されるわけではない。
【０００８】
請求項２に記載の発明は、前記補助リフレクタは、光源の発光面に対して湾曲ないし屈曲する凹み又は凸部を形成した板状部材と、該板状部材とケース部材の内壁又は前記リフレクタと接続するブリッジと、からなることを特徴とする請求項１の弾球遊技機の電飾装置が好ましい。ブリッジは単数、一対、あるいは３個以上設けてもよい。
【０００９】
請求項３に記載の発明は、光を照射する光源と、該光源からの光を前方に反射するリフレクタと、該光源及びリフレクタの前方に配置され光を拡散する拡散レンズと、を備えて、遊技機の前面部に設けられる遊技機の電飾装置において、前記リフレクタよりも面積が小さく設定され、前記光源と前記拡散レンズとの間に配置され、前記光源からの光を拡散して前記拡散レンズ側に向かわせる補助拡散レンズと、を備えることを特徴とする弾球遊技機の電飾装置である。
【００１０】
請求項４に記載の発明は、前記補助拡散レンズは、前記光源からの光を前記拡散レンズに向かって分光するプリズムであることを特徴とする請求項３の弾球遊技機の電飾装置が好ましい。
【００１１】
請求項５に記載の発明は、前記補助拡散レンズは、前記光源からの光を前記拡散レンズに向かって拡散するインナーレンズであることを特徴とする請求項３の弾球遊技機の電飾装置が好ましい。インナーレンズは、多面形状、湾曲面形状等を備えたものが挙げられる。
【発明の効果】
【００１２】
請求項１記載の弾球遊技機の電飾装置によれば、光源から照射された光が指向性の強いものであっても、拡散部材で効率的に拡散されるので、拡散レンズを効果的に照射できる。これにより、少ない数の光源で広い範囲に亘って光が拡散するので、製造コストやランニングコストを低く抑えることができる。また電飾装置を薄型にすることができる。
【００１３】
請求項２記載の弾球遊技機の電飾装置によれば、前記課題が好適に解決できる上、前記補助リフレクタは、光源の発光面に対して対向する凹みを形成した反射面を有する板状部材と、該板状部材とケース部材の内壁又は前記リフレクタと接続するブリッジからなるので、光源から照射された光を反射面で大部分反射できるようになり、光源から照射された光は前方に漏れることが少なく効率的に光源に後方に戻して光路長を延長するとができるようになり、光源と補助リフレクタが短い距離であっても拡散効果、薄型効果を上げることができる。
【００１４】
請求項３記載の弾球遊技機の電飾装置によれば、請求項１と同様の前記課題が好適に解決できる上、補助リフレクタに代えて、補助拡散レンズを用いたことで、光源から照射された光は補助拡散レンズで拡散されて拡散レンズに照射される。これにより、光源の光量を減衰することなく光源の指向性をそのまま利用して光学的に指向性を改善することができる。また、補助リフレクタの部分が暗く見えるおそれを回避できる。
【００１５】
請求項４記載の弾球遊技機の電飾装置によれば、請求項３と同様の前記課題が好適に解決できる上、補助拡散レンズにプリズムを用いたことで、光源から照射された光はプリズムを透過し分光されて拡散される。
【００１６】
請求項５記載の弾球遊技機の電飾装置によれば、請求項３と同様の前記課題が好適に解決できる上に、補助拡散レンズにインナーレンズを用いたことで、光源からの光軸を屈折させて光源の指向性を光学的に改善することができる。
【発明を実施するための最良の形態】
【００１７】
以下に、本発明の好適な実施形態について図面を参照して説明する。尚、本発明の実施の形態は、下記の実施形態に何ら限定されるものではなく、本発明の技術的範囲に属する限り種々の形態を採り得ることは無論である。
【実施形態１】
【００１８】
弾球遊技機１は、図１に示す通り、前面枠２、機枠３、操作ハンドル４、上皿５、下皿６、遊技盤７等からなり、本発明実施形態１〜３の電飾装置１０、１１０、２１０、３１０が適用されるものである。図１の例では上部に電飾装置１０が取り付けられている。
【００１９】
先ず、実施形態１の電飾装置１０について、図２〜図３を参照して説明すると、電飾装置１０は、扁平なケース１１と、ケース１１の内部奥側の壁に形成される貫通孔に固定されるＬＥＤ取付基部１２、ＬＥＤ取付基部１２に取り付けられ光源となるＬＥＤ１３、ＬＥＤ１３の背後近傍から前方に向かって上下左右に拡がるよう湾曲形ないし多面形である、取付部材（図示略）によってケース１１に取り付けられるリフレクタ１４、リフレクタ１４よりも面積が小さく設定されていてＬＥＤ１３及びリフレクタ１４の前方に配置され光を拡散しケース１１の前面に着脱可能に取り付けられるカバーとしての拡散レンズ１５と、ＬＥＤ１３と拡散レンズ１５との間に配置され、ＬＥＤ１３からの光を反射してリフレクタ１４側に向かわせる補助リフレクタ１６と、補助リフレクタ１６から延び出し両端部がリフレクタ１４の内面に固定される一対のブリッジ１７と、を備えたものである。補助リフレクタ１６の表面積は、正面視でＬＥＤ１３を最低限に覆う程度の広さが好ましいが、それよりも広い面積でもよく、少なくともリフレクタ１４で反射された光が拡散レンズ１５に至る光路が形成されていればよい。
【００２０】
図２及び図３に示す補助リフレクタ１６は、ＬＥＤ１３の光の指向性を考慮し、ＬＥＤ１３の長手方向の前方に配置されていて、ＬＥＤ１３に対して凹面である反射面１９がＬＥＤ１３側に対向するように配置されたものであり、その形状は、円形、角柱、楕円形等の適宜形状である。また、リフレクタ１４及び補助リフレクタ１６の表面が鏡面となるように反射材の貼付、メッキ、コーティング、又は蒸着等が施されている。図４に示す通り、凹面である反射面１９が拡散レンズ１５側に向かって配置されたものでもよい。なお、補助リフレクタ１６の形状は、皿状、椀形状、円弧形状、楕円弧形状、中空多角柱の先端部の形状等、適宜の形状が可能である。
【００２１】
電飾装置１０は、ＬＥＤ１３の長手方向の前方に補助リフレクタ１６を設け、図２に示したように、ＬＥＤ１３から照射された指向性の強い光の束のほとんどを補助リフレクタ１６の反射面１９で矢印の通りの方向にリフレクタ１４に向かって反射することができる。そのため、ＬＥＤ１３の光の指向性が改善されて極めて拡散性が高く照射角の広い拡散光を得ることが可能になる。従来の電飾装置ならば、多数個配置しなければならなかったＬＥＤを最小限の数、配置するだけで十分な照明が可能になることで、ＬＥＤ、ＬＥＤ取付具の部品点数の削減を可能にしたのである。これにより電飾装置１０の構造を簡単にして製造コストを低減させるとともに、弾球遊技機に取り付けて稼動させた場合のランニングコスト低減等の大きな経済的効果が得られる画期的な電飾装置が実現したのである。また、従来のようにＬＥＤを多数個、取り付けることにすれば、従来よりも格段に広い面積の電飾装置を実現でき遊技の趣向性を高めることができる。さらに、従来の電飾装置よりも電飾装置１０の厚みを減少させた薄型の電飾装置にできることから、厚みに制約のある弾球遊技機にスペースの余裕を生じさせデザイン性の向上も期待できる。
【実施形態２】
【００２２】
図４は実施形態２の弾球遊技機の電飾装置１１０を示すものである。この電飾装置１１０の部品番号は、実施形態１の電飾装置１０に対応する部品を１００番台として図示し、共通部分についての説明は実施形態１のものを援用し、主として異なる構成について説明する。この電飾装置１１０は、反射面１１９の凹み側を拡散レンズ１１５側に対向するように配置したものであり、他の構成は実施形態１と同様である。光の拡散パターンを実施形態１とは異なるものに変更することで遊技の趣向性を発揮することができる。
【実施形態３】
【００２３】
図５に示す実施形態３の電飾装置２１０は、図２及び図４の補助リフレクタ１６、１１６に代えて、プリズム２１６としたものである。電飾装置２１０の部品番号は、実施形態１の電飾装置１０に対応する部品を２００番台として図示し、共通部分についての説明は実施形態１のものを援用し、主として異なる構成について説明する。実施形態３の電飾装置１００は、ＬＥＤ２１３の前方近傍にプリズム２１６を設け、ＬＥＤ２１３から照射された指向性の強い光を、プリズム２１６で光を屈折、分散させ拡散レンズ２１５に拡散させるようにしたもので、実施形態１と同様の効果を発揮する。また、プリズム２１６は、光を反射させるのではなく、透過させて拡散させるため、ＬＥＤ２１３から照射された光の減衰が少なく効率の良い照明ができるという効果を発揮する。また、実施形態１の補助リフレクタ１６の部分が暗く見えるおそれを回避できる。
【実施形態４】
【００２４】
図６に示す実施形態４の電飾装置３１０は、図５のプリズム２１６に代えて、インナーレンズ３１６としたものである。電飾装置３１０の部品番号は、実施形態１のヘッドライト式電飾装置１０に対応する部品を３００番台として図示し、共通部分についての説明は実施形態３のものを援用し、主として異なる構成について説明する。図６に示す電飾装置３１０は、ＬＥＤ３１３の前方近傍にインナーレンズ３１６を設け、ＬＥＤ３１３から照射された指向性の強い光を、インナーレンズ３１６で屈折させ拡散レンズ３１５に拡散させるようにしたもので、実施形態３と同様の効果を発揮する。またインナーレンズ３１６はレンズの光を屈折させる性質を利用して光を拡散させるため、ＬＥＤ３１３から照射された光はほとんどがインナーレンズ３１６を透過するために照射効率が極めて高い。また、インナーレンズ３１６は凸レンズ及び／又は凹レンズ等を複数枚組み合わせることも可能で光の拡散率を容易に変えることができる。そのため、ケース３１１の厚みや形状にかかわりなくＬＥＤ３１３の最適な拡散率を意図的に作ることができるという効果を発揮する。
【産業上の利用可能性】
【００２５】
本発明は、弾球遊技機、スロットル機などのゲーム機の電飾装置に採用することで、電飾装置の照度を下げることなく光源の数を削減することができる。また電飾装置を薄型にできる。これにより、弾球遊技機などのゲーム機全体で光源の数を相当数削減できるようになり、ゲーム機のコストダウン、メンテンス性の向上、省エネルギーなどを実現できる画期的な発明を提供することができる。
【図面の簡単な説明】
【００２６】
【図１】本発明実施形態１〜４の弾球遊技機の電飾装置が適用される弾球遊技機１の正面図である。
【図２】本発明実施形態１における弾球遊技機の電飾装置１０の内部構造図である。
【図３】実施形態１における弾球遊技機の電飾装置１０のケース部材及び拡散レンズを除いた部分の斜視図である。
【図４】実施形態２における弾球遊技機の電飾装置１１０の内部構造図である。
【図５】実施形態３における弾球遊技機の電飾装置２１０の内部構造図である。
【図６】実施形態４における弾球遊技機の電飾装置３１０の内部構造図である。
【図７】従来の弾球遊技機の電飾装置の内部構造の説明図である。
【符号の説明】
【００２７】
１０，１１０，２１０，３１０・・・電飾装置
１１，１１１，２１１，３１１・・・ケース
１２，１１２，２１２，３１２・・・ＬＥＤ取付基部
１３，１１３，２１３，３１３・・・ＬＥＤ
１４，１１４，２１４，３１４・・・リフレクタ
１５，１１５，２１５，３１５・・・拡散レンズ
１６，１１６・・・補助リフレクタ
２１６・・・プリズム    ３１６・・・インナーレンズ
１７，１１７，２１７，３１７・・・ブリッジ
【図１】
2005046508.tif 000003
【図２】
2005046508.tif 000004
【図３】
2005046508.tif 000005
【図４】
2005046508.tif 000006
【図５】
2005046508.tif 000007
【図６】
2005046508.tif 000008
【図７】
2005046508.tif 000009